(57)【要約】  ネットワークノードは、ＶＰＬＭＮ（Visited Public land mobile network）における第１のネットワークノードであって、ＨＰＬＭＮ（Home Public land mobile network）における第２のネットワークノードからネットワーク選択に係る情報を受信する受信部と、前記ネットワーク選択に係る情報をユーザ装置に送信する送信部と、前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御部とを有する。
2020145299.tif 000002
【特許請求の範囲】
【請求項１】
ＶＰＬＭＮ（Visited Public land mobile network）における第１のネットワークノードであって、
ＨＰＬＭＮ（Home Public land mobile network）における第２のネットワークノードからネットワーク選択に係る情報を受信する受信部と、
前記ネットワーク選択に係る情報をユーザ装置に送信する送信部と、
前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御部とを有するネットワークノード。
【請求項２】
前記ネットワーク選択に係る情報は、ＳｏＲ（Steering of Roaming）情報である請求項１記載のネットワークノード。
【請求項３】
前記ユーザ装置が前記ネットワーク選択に係る情報を受信できないことを示す応答は、前記第２のネットワークノードから受信された前記ネットワーク選択に係る情報を含む請求項１記載のネットワークノード。
【請求項４】
前記ユーザ装置が前記ネットワーク選択に係る情報を受信できないことを示す応答は、前記ユーザ装置に送信された前記ネットワーク選択に係る情報に対する応答を前記ユーザ装置から受信できない理由を含む請求項１記載のネットワークノード。
【請求項５】
ＨＰＬＭＮ（Home Public land mobile network）における第２のネットワークノードであって、
ＶＰＬＭＮ（Visited Public land mobile network）における第１のネットワークノードにネットワーク選択に係る情報を送信する送信部と、
前記第１のネットワークノードがユーザ装置に送信した前記ネットワーク選択に係る情報に対する応答を、前記ユーザ装置から前記第１のネットワークノードが受信できなかった場合、前記ユーザ装置が前記ネットワーク選択に係る情報を受信できなかったことを示す応答を前記第１のネットワークノードから受信する受信部と、
前記ユーザ装置が前記ネットワーク選択に係る情報を受信できないことを示す応答に基づいて、前記ユーザ装置を特定する制御部とを有するネットワークノード。
【請求項６】
ＶＰＬＭＮ（Visited Public land mobile network）における第１のネットワークノードが実行する通知方法であって、
ＨＰＬＭＮ（Home Public land mobile network）における第２のネットワークノードからネットワーク選択に係る情報を受信する受信手順と、
前記ネットワーク選択に係る情報をユーザ装置に送信する送信手順と、
前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御手順とを実行する通知方法。
【発明の詳細な説明】
【技術分野】
【０００１】
本発明は、通信システムにおけるネットワークノード及び通知方法に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「５Ｇ」あるいは「ＮＲ」という。）の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ＬＴＥ（Long Term Evolution）のネットワークアーキテクチャにおけるコアネットワークであるＥＰＣ（Evolved Packet Core）に対応する５ＧＣ（5G Core Network）及びＬＴＥのネットワークアーキテクチャにおけるＲＡＮ（Radio Access Network）であるＥ−ＵＴＲＡＮ（Evolved Universal Terrestrial Radio Access Network）に対応するＮＧ−ＲＡＮ（Next Generation - Radio Access Network）を含むネットワークアーキテクチャが検討されている（例えば非特許文献１）。
【先行技術文献】
【非特許文献】
【０００４】
【非特許文献１】３ＧＰＰ  ＴＳ  ２３．５０１  Ｖ１５．３．０（２０１８−０９）
【発明の概要】
【発明が解決しようとする課題】
【０００５】
ＮＲにおいて、ユーザ装置がローミング環境においてネットワークに接続しているとき、優先するＰＬＭＮ（Public land mobile network）を選択する制御に係るＳｏＲ（Steering of Roaming）情報がユーザ装置に取得されたか否か把握できないことがあった。【０００６】
本発明は上記の点に鑑みてなされたものであり、ネットワークが、ローミング環境におけるユーザ装置の状況を把握することを目的とする。
【課題を解決するための手段】
【０００７】
開示の技術によれば、ＶＰＬＭＮ（Visited Public land mobile network）における第１のネットワークノードであって、ＨＰＬＭＮ（Home Public land mobile network）における第２のネットワークノードからネットワーク選択に係る情報を受信する受信部と、前記ネットワーク選択に係る情報をユーザ装置に送信する送信部と、前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御部とを有するネットワークノードが提供される。
【発明の効果】
【０００８】
開示の技術によれば、ネットワークが、ローミング環境にあるユーザ装置の状況を把握することができる。
【図面の簡単な説明】
【０００９】
【図１】本発明の実施の形態における通信ネットワークを説明するための図である。
【図２】本発明の実施の形態におけるＳｏＲ処理方法の例（１）を説明するためのシーケンス図である。
【図３】本発明の実施の形態におけるＳｏＲ処理方法の例（２）を説明するためのシーケンス図である。
【図４】本発明の実施の形態におけるネットワークノード１０の機能構成の一例を示す図である。
【図５】本発明の実施の形態におけるユーザ装置２０の機能構成の一例を示す図である。
【図６】本発明の実施の形態におけるネットワークノード１０又はユーザ装置２０のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）、又は無線ＬＡＮ（Local Area Network）を含む広い意味を有するものとする。
【００１２】
また、本発明の実施の形態において、無線パラメータ等が「設定される（Configure）」とは、所定の値が予め設定（Pre-configure）されることであってもよいし、ネットワークノード１０又はユーザ装置２０から通知される無線パラメータが設定されることであってもよい。
【００１３】
図１は、本発明の実施の形態における通信ネットワークを説明するための図である。
図１に示されるように、ネットワークは、ユーザ装置２０であるＵＥ、複数のネットワークノード１０から構成される。以下、機能ごとに１つのネットワークノード１０が対応するものとするが、複数の機能を１つのネットワークノード１０が実現してもよいし、複数のネットワークノード１０が１つの機能を実現してもよい。また、以下に記載する「接続」は、論理的な接続であってもよいし、物理的な接続であってもよい。
【００１４】
ＲＡＮ（Radio Access Network）は、無線アクセス機能を有するネットワークノード１０であり、ＵＥ、ＡＭＦ（Access and Mobility Management Function）及びＵＰＦ（User plane function）と接続される。ＡＭＦは、ＲＡＮインタフェースの終端、ＮＡＳ（Non-Access Stratum）の終端、登録管理、接続管理、到達性管理、モビリティ管理等の機能を有するネットワークノード１０である。ＵＰＦは、ＤＮ（Data Network）と相互接続する外部に対するＰＤＵ（Protocol Data Unit）セッションポイント、パケットのルーティング及びフォワーディング、ユーザプレーンのＱｏＳ（Quality of Service）ハンドリング等の機能を有するネットワークノード１０である。ＵＰＦ及びＤＮは、ネットワークスライスを構成する。本発明の実施の形態における無線通信ネットワークでは、複数のネットワークスライスが構築されていてもよい。
【００１５】
ＡＭＦは、ＵＥ、ＲＡＮ、ＳＭＦ（Session Management function）、ＮＳＳＦ（Network Slice Selection Function）、ＮＥＦ（Network Exposure Function）、ＮＲＦ（Network Repository Function）、ＡＵＳＦ（Authentication Server Function）、ＰＣＦ（Policy Control Function）、ＡＦ（Application Function）、ＵＤＭ（Unified Data Management）、ＳＥＰＰ（Security Edge Protection Proxy）と接続される。ＡＭＦ、ＳＭＦ、ＮＳＳＦ、ＮＥＦ、ＮＲＦ、ＡＵＳＦ、ＰＣＦ、ＡＦ、ＵＤＭは、各々のサービスに基づくインタフェース、Ｎａｍｆ、Ｎｓｍｆ、Ｎｎｓｓｆ、Ｎｎｅｆ、Ｎｎｒｆ、Ｎａｕｓｆ、Ｎｐｃｆ、Ｎａｆ、Ｎｕｄｍを介して相互に接続されるネットワークノード１０である。
【００１６】
ＳＭＦは、セッション管理、ＵＥのＩＰ（Internet Protocol）アドレス割り当て及び管理、ＤＨＣＰ（Dynamic Host Configuration Protocol）機能、ＡＲＰ（Address Resolution Protocol）プロキシ、ローミング機能等の機能を有するネットワークノード１０である。ＮＥＦは、他のＮＦ（Network Function）に能力及びイベントを通知する機能を有するネットワークノード１０である。ＮＳＳＦは、ＵＥが接続するネットワークスライスの選択、許可されるＮＳＳＡＩ（Network Slice Selection Assistance Information）の決定、設定されるＮＳＳＡＩの決定、ＵＥが接続するＡＭＦセットの決定等の機能を有するネットワークノード１０である。ＰＣＦは、ネットワークのポリシ制御を行う機能を有するネットワークノード１０である。ＡＦは、アプリケーションサーバを制御する機能を有するネットワークノード１０である。ＵＤＭ及びＡＵＳＦは、認証情報の生成、ユーザ識別、加入者データに基づいたローミング中のアクセス制限等を行う機能を有するネットワークノード１０である。ＳＥＰＰは、非透過的なプロキシであり、ＰＬＭＮ（Public land mobile network）間のコントロールプレーンのメッセージをフィルタリングする。図１に示されるｖＳＥＰＰは、ｖｉｓｉｔｅｄネットワークにおけるＳＥＰＰであり、ｈＳＥＰＰは、ｈｏｍｅネットワークにおけるＳＥＰＰである。
【００１７】
図１に示されるように、ＵＥは、ＶＰＬＭＮ（Visited PLMN）においてＲＡＮ及びＡＭＦと接続されているローミング環境にある。ＶＰＬＭＮ及びＨＰＬＭＮ（Home PLMN）は、ｖＳＥＰＰ及びｈＳＥＰＰを経由して接続されている。ＵＥは、例えば、ＶＰＬＭＮのＡＭＦを介してＨＰＬＭＮのＵＤＭと通信が可能である。
【００１８】
事業者は、図１に示されるような５ＧシステムのＨＰＬＭＮを展開し、コントロールプレーン上においてＳｏＲ（Steering of Roaming）機能を使用する。ここで、ＶＰＬＭＮも５Ｇシステムをサポートするものとする。
【００１９】
また、事業者は、ＵＥがＶＰＬＭＮにおいて位置登録を実行するとき、ＵＥにＳｏＲ情報をリダイレクトすることができる。ＳｏＲ情報は、例えば、ＰＬＭＮリスト、アクセステクノロジリスト、リストが存在しないことを示す情報、情報が正しく取得された場合の応答を要求することを示す情報等が含まれてもよい。また、例えば、ＳｏＲ情報に完全性保護（Integrity Protection）及び秘匿性保護（Confidential Protection）のいずれか又は双方を実行することによって、事業者はＳｏＲ情報の改ざんに対するセキュリティを向上させてもよい。
【００２０】
ＶＰＬＭＮは、ＨＰＬＭＮからローミング中のＵＥに供給されるＳｏＲ情報を許可なく変更することはできない。ＶＰＬＭＮは、成功した位置登録手順中において、ＳｏＲ情報及びＳｏＲ情報がＵＥに取得されたことの応答を、ローミング中のＵＥに渡すことのみが可能である。
【００２１】
しかしながら、位置登録手順は、必ずしも成功せず、様々な要因によって拒絶されることがある。
【００２２】
また、ＳｏＲ情報は、ＵＥがコネクテッドモードである場合、いつでもＵＥによって取得される可能性がある。すなわち、ＨＰＬＭＮは、ＶＰＬＭＮを経由してＳｏＲ情報をＵＥに送信することがある。ここで、位置登録手順と同様に、コネクテッドモード時の通信が失敗する可能性がある。ＡＭＦがＵＥにＳｏＲ情報を供給できないケースは、例えば、ＵＥの電源が切断されている又はＵＥが圏外にいる等によってＵＥに接続できないケースが想定される。
【００２３】
上述のように、位置登録手順中に、ＨＰＬＭＮはＵＥにＳｏＲ情報を供給することができる。ＳｏＲ情報は、ＶＰＬＭＮ経由でＵＥに送信され、ＶＰＬＭＮはＳｏＲ情報を許可なく変更することはできない。ＶＰＬＭＮは、ＳｏＲ情報を位置登録受付メッセージに含めて送信することができる。
【００２４】
しかしながら、位置登録手順中に、ＵＥがＶＰＬＭＮにおいて位置登録が拒絶される場合がある。位置登録が拒絶された場合、ＨＰＬＭＮのＵＤＭ又はＡＵＳＦから供給されたＳｏＲ情報は、ＶＰＬＭＮによってＵＥに転送されない。さらに、ＨＰＬＭＮは、ＵＥがＳｏＲ情報を取得したか否かを知ることができない。
【００２５】
したがって、位置登録手順中に位置登録が拒絶された場合、ＶＰＬＭＮは、位置登録の拒絶のためＶＰＬＭＮが受信したＳｏＲ情報がＵＥに転送されなかったことを、ＨＰＬＭＮに通知する必要がある。
【００２６】
図２は、本発明の実施の形態におけるＳｏＲ処理方法の例（１）を説明するためのシーケンス図である。図２のステップＳ１からステップＳ５は、既存の位置登録手順と同様である。以下図２の説明において、「ＡＭＦ」はＶＰＬＭＮにおけるＡＭＦを示し、「ＵＤＭ」はＨＰＬＭＮにおけるＵＤＭ及びＡＵＳＦを示す。
【００２７】
ステップＳ１において、ＵＥは、ＡＭＦに「ＲＥＧＩＳＴＲＡＴＩＯＮ  ＲＥＱＵＥＳＴ」を送信する。「ＲＥＧＩＳＴＲＡＴＩＯＮ  ＲＥＱＵＥＳＴ」は、位置登録を要求するメッセージであり、例えば、ＡＮ（Access Network）パラメータ、ＳＵＣＩ（Subscription Concealed Identifier）又は５Ｇ−ＧＵＴＩ（5G Globally Unique Temporary Identifier）又はＰＥＩ（Permanent Equipment Identifier）、セキュリティパラメータ、ＮＳＳＡＩに係る情報、ＵＥ無線能力の更新情報等を含む。
【００２８】
ステップＳ２において、ＡＭＦは、「Ｎｕｄｍ＿ＳＤＭ＿Ｇｅｔ」をＵＤＭに送信する。「Ｎｕｄｍ＿ＳＤＭ＿Ｇｅｔ」は、ＵＤＭに情報を要求するメッセージであり、例えば、アクセス及びモビリティサブスクリプションデータ、ＳＭＦ選択サブスクリプションデータ、ＳＭＦにおけるＵＥコンテキスト等が要求される情報である。
【００２９】
ステップＳ３において、ＵＤＭは、ＳｏＲ情報を送信することを決定する。続いて、ＵＤＭは、「Ｎｕｄｍ＿ＳＤＭ＿Ｇｅｔ＿Ｒｅｓｐｏｎｓｅ」をＡＭＦに送信する（Ｓ４）。「Ｎｕｄｍ＿ＳＤＭ＿Ｇｅｔ＿Ｒｅｓｐｏｎｓｅ」は、「Ｎｕｄｍ＿ＳＤＭ＿Ｇｅｔ」によって要求された情報及びＳｏＲ情報を含む。続いて、ＡＭＦは、「Ｎｕｄｍ＿ＳＤＭ＿Ｓｕｂｓｃｒｉｂｅ」をＵＤＭに送信する（Ｓ５）。「Ｎｕｄｍ＿ＳＤＭ＿Ｓｕｂｓｃｒｉｂｅ」は、要求したデータに変更があった場合にＵＤＭへの通知に使用される。
【００３０】
位置登録手順が成功する場合、ステップ５の次にＳｏＲ情報を含む透過的なコンテナを含めた「ＲＥＧＩＳＴＲＡＴＩＯＮ  ＡＣＣＥＰＴ」がＡＭＦからＵＥに送信され、続いて「ＲＥＧＩＳＴＲＡＴＩＯＮ  ＣＯＭＰＬＥＴＥ」がＵＥからＡＭＦに送信される。「ＲＥＧＩＳＴＲＡＴＩＯＮ  ＣＯＭＰＬＥＴＥ」がＵＥからの応答が含まれる透過的なコンテナを含んでいる場合、ＡＭＦは、ＵＤＭに送信する「Ｎｕｄｍ＿ＳＤＭ＿ｉｎｆｏ」メッセージに透過的なコンテナを含める（Ｓ６）。ＨＰＬＭＮは、ステップＳ４で送信したＳｏＲ情報のセキュリティチェックにＵＥが応答した場合、ＵＤＭは、当該応答が当該ＵＥから送信されたか否かを検証する。
【００３１】
ここで、何らかの要因でＡＭＦがＳｏＲ情報の送信に失敗した場合、「ＲＥＧＩＳＴＲＡＴＩＯＮ  ＣＯＭＰＬＥＴＥ」は、ＵＥからＡＭＦに送信されない。そのため、ＵＤＭは、ＳｏＲ情報に係るＵＥからの応答を受信できない。
【００３２】
そこで、位置登録が失敗した場合、ＡＭＦは、ＵＥへのＳｏＲ情報の送信が失敗したことを示す情報を「Ｎｕｄｍ＿ＳＤＭ＿ｉｎｆｏ」に含めることでＵＤＭに通知する。ＡＭＦは、ＳｏＲ情報をＵＤＭに返送し、ＵＤＭが正当性を確認してもよい。ＵＤＭは、送信したＳｏＲ情報が返送されたことを確認することで、当該ＵＥにＳｏＲが転送されなかったことを認識する。また、ＡＭＦは、ＵＥにＳｏＲ情報が転送されなかった理由（Cause）をＵＤＭに通知してもよい。例えば、「位置登録が拒絶された」との理由であってもよい。
【００３３】
また、例えば、「Ｎｕｄｍ＿ＳＤＭ＿ｉｎｆｏ」に含まれるデータタイプ「ＡｃｋｎｏｗｌｅｄｇｅＩｎｆｏ」が拡張されて、ＵＥへのＳｏＲ情報の送信が失敗したことを示す情報が含まれてもよい。
【００３４】
なお、位置登録手順が失敗するケースのうち、図２に示されるステップＳ５の次に「ＲＥＧＩＳＴＲＡＴＩＯＮ  ＲＥＪＥＣＴ」がＡＭＦからＵＥに送信される場合がある。そこで、ＡＭＦは、「ＲＥＧＩＳＴＲＡＴＩＯＮ  ＲＥＪＥＣＴ」にＳｏＲ情報を含めてＵＥに送信してもよい。「ＲＥＧＩＳＴＲＡＴＩＯＮ  ＲＥＪＥＣＴ」にＳｏＲ情報を含めてＵＥに送信することで、位置登録が拒絶される場合であっても、ＡＭＦはＵＥにＳｏＲ情報を送信することができる。
【００３５】
図３は、本発明の実施の形態におけるＳｏＲ処理方法の例（２）を説明するためのシーケンス図である。以下図３の説明において、「ＡＭＦ」はＶＰＬＭＮにおけるＡＭＦを示し、「ＵＤＭ」はＨＰＬＭＮにおけるＵＤＭを示す。
【００３６】
ステップＳ２１において、ＵＤＭは、「Ｎｕｄｍ＿ＳＤＭ＿ＵｐｄａｔｅＮｏｔｉｆｉｃａｔｉｏｎ」をＳＭＦに送信する。「Ｎｕｄｍ＿ＳＤＭ＿ＵｐｄａｔｅＮｏｔｉｆｉｃａｔｉｏｎ」は、ＳｏＲ情報を含む。
【００３７】
ステップＳ２２において、ＡＭＦは、ＳｏＲ情報を含むＮＡＳメッセージ「ＤＬ  ＮＡＳ  ＴＲＡＮＳＰＯＲＴ」をＵＥに送信する。続いて、ステップＳ２３において、ＵＥは、ＳｏＲ情報に対する応答を含む「ＵＬ  ＮＡＳ  ＴＲＡＮＳＰＯＲＴ」をＡＭＦに送信する。「ＵＬ  ＮＡＳ  ＴＲＡＮＳＰＯＲＴ」がＵＥからの応答が含まれる透過的なコンテナを含んでいる場合、ＡＭＦは、ＵＤＭに送信する「Ｎｕｄｍ＿ＳＤＭ＿ｉｎｆｏ」メッセージに透過的なコンテナを含める（Ｓ２４）。ＨＰＬＭＮは、ステップＳ１で送信したＳｏＲ情報のセキュリティチェックにＵＥが応答した場合、ＵＤＭは、当該応答が当該ＵＥから送信されたか否かを検証する。
【００３８】
ここで、何らかの要因（例えば、ＵＥとの接続に失敗）でＳｏＲ情報の送信が失敗した場合、「ＵＬ  ＮＡＳ  ＴＲＡＮＳＰＯＲＴ」は、ＡＭＦに送信されない。そのため、ＵＤＭは、ＳｏＲ情報に係るＵＥからの応答を受信できない。
【００３９】
そこで、ＮＡＳ  ＴＲＡＮＳＰＯＲＴに失敗した場合、ＡＭＦは、ＵＥへのＳｏＲ情報の送信が失敗したことを示す情報を「Ｎｕｄｍ＿ＳＤＭ＿ｉｎｆｏ」に含めることでＵＤＭに通知する。ＡＭＦは、ＳｏＲ情報をＵＤＭに返送し、ＵＤＭが正当性を確認してもよい。ＵＤＭは、送信したＳｏＲ情報が返送されたことを確認することで、当該ＵＥにＳｏＲが転送されなかったことを認識する。また、ＡＭＦは、ＵＥにＳｏＲ情報が転送されなかった理由をＵＤＭに通知してもよい。例えば、「ＵＥとの接続に失敗した」との理由であってもよい。また、ＳｏＲ情報以外の他の情報（例えば収容ＵＤＭの宛先を示すＲｏｕｔｉｎｇ−ＩＤの変更の通知等）がＵＤＭ／ＡＵＳＦからＵＥへの送信に失敗した際にも同様の手順でＡＭＦは当該他の情報又は当該他の情報の送信が失敗したことを示す情報をＵＤＭへ通知してもよい。
【００４０】
上述の実施例により、ネットワークノードであるＡＭＦは、ＡＭＦがＵＥにＳｏＲ情報を送信できない場合の処理を実行することができる。ＶＰＬＭＮのＡＭＦは、受信したＳｏＲ情報をＵＤＭに返送することによって、ＨＰＬＭＮのＵＤＭに応答することができる。また、ＶＰＬＭＮのＡＭＦは、ＨＰＬＭＮのＵＤＭにＳｏＲ情報に係る応答を実行するとき、ＵＥへのＳｏＲ情報の転送に失敗した理由を示す情報を送信することができる。ＨＰＬＭＮのＵＤＭは、返送されたＳｏＲ情報の正当性を確認することで、ＵＥへのＳｏＲ情報の送信が失敗したことを認識することができる。
【００４１】
ＳｏＲ情報の返送及びＵＥへのＳｏＲ情報の転送に失敗した理由を示す情報は、ＡＭＦからＵＤＭに送信される既存の「Ｎｕｄｍ＿ＳＤＭ＿Ｉｎｆｏ」メッセージに含めることができる。
【００４２】
事業者は、ＶＰＬＭＮに在圏するローミング中の加入者をビジネス合意及びコスト収益分析に基づいて制御することができる。さらに、事業者は、ＵＥの状況を認識する方法を得ることができる。
【００４３】
すなわち、ネットワークが、ローミング環境にあるユーザ装置の状況を把握することができる。
【００４４】
（装置構成）
次に、これまでに説明した処理及び動作を実行するネットワークノード１０及びユーザ装置２０の機能構成例を説明する。ネットワークノード１０及びユーザ装置２０は上述した実施例を実施する機能を含む。ただし、ネットワークノード１０及びユーザ装置２０はそれぞれ、実施例の中の一部の機能のみを備えることとしてもよい。
【００４５】
＜ネットワークノード１０＞
図４は、ネットワークノード１０の機能構成の一例を示す図である。図４に示されるように、ネットワークノード１０は、送信部１１０と、受信部１２０と、設定部１３０と、制御部１４０とを有する。図４に示される機能構成は一例に過ぎない。本発明の実施の形態に係る動作を実行できるのであれば、機能区分及び機能部の名称はどのようなものでもよい。また、システムアーキテクチャ上で複数の異なる機能を有するネットワークノード１０は、機能ごとに分離された複数のネットワークノード１０から構成されてもよい。
【００４６】
送信部１１０は、ユーザ装置２０又は他のネットワークノード１０に送信する信号を生成し、当該信号を有線又は無線で送信する機能を含む。受信部１２０は、ユーザ装置２０又は他のネットワークノード１０から送信された各種の信号を受信し、受信した信号から、例えばより上位のレイヤの情報を取得する機能を含む。
【００４７】
設定部１３０は、予め設定される設定情報、及び、ユーザ装置２０に送信する各種の設定情報を記憶装置に格納し、必要に応じて記憶装置から読み出す。設定情報の内容は、例えば、ユーザ装置２０の加入者情報及びＳｏＲ情報等である。
【００４８】
制御部１４０は、実施例において説明したように、ローミング環境にあるユーザ装置２０の通信制御に係る処理を行う。また、制御部１４０は、ユーザ装置２０へのＳｏＲ情報通知に係る処理を行う。制御部１４０における信号送信に関する機能部を送信部１１０に含め、制御部１４０における信号受信に関する機能部を受信部１２０に含めてもよい。
【００４９】
＜ユーザ装置２０＞
図５は、ユーザ装置２０の機能構成の一例を示す図である。図５に示されるように、ユーザ装置２０は、送信部２１０と、受信部２２０と、設定部２３０と、制御部２４０とを有する。図５に示される機能構成は一例に過ぎない。本発明の実施の形態に係る動作を実行できるのであれば、機能区分及び機能部の名称はどのようなものでもよい。
【００５０】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、ネットワークノード１０から送信されるＮＲ−ＰＳＳ、ＮＲ−ＳＳＳ、ＮＲ−ＰＢＣＨ、ＤＬ／ＵＬ制御信号又は参照信号等を受信する機能を有する。
【００５１】
設定部２３０は、受信部２２０によりネットワークノード１０から受信した各種の設定情報を記憶装置に格納し、必要に応じて記憶装置から読み出す。また、設定部２３０は、予め設定される設定情報も格納する。設定情報の内容は、例えば、加入者情報及びＳｏＲ情報等である。
【００５２】
制御部２４０は、実施例において説明したように、ローミング環境時の通信制御に係る処理を行う。また、制御部２４０は、ＳｏＲ情報受信時の制御に係る処理を行う。制御部２４０における信号送信に関する機能部を送信部２１０に含め、制御部２４０における信号受信に関する機能部を受信部２２０に含めてもよい。
【００５３】
（ハードウェア構成）
上記実施形態の説明に用いたブロック図（図４及び図５）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００５４】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００５５】
例えば、本開示の一実施の形態におけるネットワークノード１０、ユーザ装置２０等は、本開示の無線通信方法の処理を行うコンピュータとして機能してもよい。図６は、本開示の一実施の形態に係るネットワークノード１０及びユーザ装置２０のハードウェア構成の一例を示す図である。上述のネットワークノード１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００５６】
なお、以下の説明では、「装置」という文言は、回路、デバイス、ユニット等に読み替えることができる。ネットワークノード１０及びユーザ装置２０のハードウェア構成は、図に示した各装置を１つ又は複数含むように構成されてもよいし、一部の装置を含まずに構成されてもよい。
【００５７】
ネットワークノード１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００５８】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００５９】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図４に示したネットワークノード１０の制御部１４０は、記憶装置１００２に格納され、プロセッサ１００１で動作する制御プログラムによって実現されてもよい。また、例えば、図５に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００６０】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００６１】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００６２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インタフェース等は、通信装置１００４によって実現されてもよい。送受信部は、送信部と受信部とで、物理的に、または論理的に分離された実装がなされてもよい。
【００６３】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００６４】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００６５】
また、ネットワークノード１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００６６】
（実施の形態のまとめ）
以上、説明したように、本発明の実施の形態によれば、ＶＰＬＭＮ（Visited Public land mobile network）における第１のネットワークノードであって、ＨＰＬＭＮ（Home Public land mobile network）における第２のネットワークノードからネットワーク選択に係る情報を受信する受信部と、前記ネットワーク選択に係る情報をユーザ装置に送信する送信部と、前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御部とを有するネットワークノードが提供される。
【００６７】
上記の構成により、ネットワークノードであるＡＭＦは、ＡＭＦがＵＥにＳｏＲ情報を送信できない場合の処理を実行することができる。すなわち、ネットワークが、ローミング環境にあるユーザ装置の状況を把握することができる。
【００６８】
前記ネットワーク選択に係る情報は、ＳｏＲ（Steering of Roaming）情報であってもよい。当該構成により、ネットワークノードであるＡＭＦは、ＳｏＲ情報がＵＥに送信できない場合、ＳｏＲ情報がＵＥに受信されなかったことを示す応答をＵＤＭに送信することができる。
【００６９】
前記ユーザ装置が前記ネットワーク選択に係る情報を受信できないことを示す応答は、前記第２のネットワークノードから受信された前記ネットワーク選択に係る情報を含んでもよい。当該構成により、ＶＰＬＭＮのＡＭＦは、受信したＳｏＲ情報をＵＤＭに返送することによって、ＨＰＬＭＮのＵＤＭに応答することができる。ＨＰＬＭＮのＵＤＭは、返送されたＳｏＲ情報の正当性を確認することで、ＵＥへのＳｏＲ情報の送信が失敗したことを認識することができる。
【００７０】
前記ユーザ装置が前記ネットワーク選択に係る情報を受信できないことを示す応答は、前記ユーザ装置に送信された前記ネットワーク選択に係る情報に対する応答を前記ユーザ装置から受信できない理由を含んでもよい。当該構成により、ＶＰＬＭＮのＡＭＦは、ＨＰＬＭＮのＵＤＭにＳｏＲ情報に係る応答を実行するとき、ＵＥへのＳｏＲ情報の転送に失敗した理由を示す情報を送信することができる。
【００７１】
また、本発明の実施の形態によれば、ＨＰＬＭＮ（Home Public land mobile network）における第２のネットワークノードであって、ＶＰＬＭＮ（Visited Public land mobile network）における第１のネットワークノードにネットワーク選択に係る情報を送信する送信部と、前記第１のネットワークノードがユーザ装置に送信した前記ネットワーク選択に係る情報に対する応答を、前記ユーザ装置から前記第１のネットワークノードが受信できなかった場合、前記ユーザ装置が前記ネットワーク選択に係る情報を受信できなかったことを示す応答を前記第１のネットワークノードから受信する受信部と、前記ユーザ装置が前記ネットワーク選択に係る情報を受信できないことを示す応答に基づいて、前記ユーザ装置を特定する制御部とを有するネットワークノードが提供される。
【００７２】
上記の構成により、ＨＰＬＭＮのＵＤＭは、返送されたＳｏＲ情報の正当性を確認することで、ＵＥへのＳｏＲ情報の送信が失敗したことを認識することができる。すなわち、ネットワークが、ローミング環境にあるユーザ装置の状況を把握することができる。
【００７３】
また、本発明の実施の形態によれば、ＶＰＬＭＮ（Visited Public land mobile network）における第１のネットワークノードが実行する通知方法であって、ＨＰＬＭＮ（Home Public land mobile network）における第２のネットワークノードからネットワーク選択に係る情報を受信する受信手順と、前記ネットワーク選択に係る情報をユーザ装置に送信する送信手順と、前記ユーザ装置に送信された前記ネットワーク選択に係る情報に対する応答を前記ユーザ装置から受信できなかった場合、前記ユーザ装置が前記ネットワーク選択に係る情報を受信できなかったことを示す応答を前記第２のネットワークノードに送信する制御手順とを実行する通知方法が提供される。
【００７４】
上記の構成により、ネットワークノードであるＡＭＦは、ＡＭＦがＵＥにＳｏＲ情報を送信できない場合の処理を実行することができる。すなわち、ネットワークが、ローミング環境にあるユーザ装置の状況を把握することができる。
【００７５】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ネットワークノード１０及びユーザ装置２０は機能的なブロック図を用いて説明されたが、そのような装置はハードウェアで、ソフトウェアで又はそれらの組み合わせで実現されてもよい。本発明の実施の形態に従ってネットワークノード１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００７７】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００７８】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００７９】
本明細書においてネットワークノード１０によって行われるとした特定動作は、場合によってはその上位ノード（upper node）によって行われることもある。ネットワークノード１０を有する１つ又は複数のネットワークノード（network nodes）からなるネットワークにおいて、ユーザ装置２０との通信のために行われる様々な動作は、ネットワークノード１０及びネットワークノード１０以外の他のネットワークノード（例えば、ＭＭＥ又はＳ−ＧＷ等が考えられるが、これらに限られない）の少なくとも１つによって行われ得ることは明らかである。上記においてネットワークノード１０以外の他のネットワークノードが１つである場合を例示したが、他のネットワークノードは、複数の他のネットワークノードの組み合わせ（例えば、ＭＭＥ及びＳ−ＧＷ）であってもよい。
【００８０】
本開示において説明した情報又は信号等は、上位レイヤ（又は下位レイヤ）から下位レイヤ（又は上位レイヤ）へ出力され得る。複数のネットワークノードを介して入出力されてもよい。
【００８１】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８２】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【００８３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００８５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８６】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００８７】
本開示において使用する「システム」及び「ネットワーク」という用語は、互換的に使用される。
【００８８】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００８９】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００９０】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００９２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００９３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９４】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【００９５】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述のネットワークノード１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【００９６】
同様に、本開示におけるユーザ端末は、基地局で読み替えてもよい。この場合、上述のユーザ端末が有する機能を基地局が有する構成としてもよい。
【００９７】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００９８】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００９９】
参照信号は、ＲＳ（Reference  Signal）と略称することもでき、適用される標準によってパイロット（Pilot）と呼ばれてもよい。
【０１００】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１０２】
上記の各装置の構成における「手段」を、「部」、「回路」、「デバイス」等に置き換えてもよい。
【０１０３】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１０４】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１０５】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１０６】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１０７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１０８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１０９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１１０】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１１１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１１２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１１３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１１４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１１５】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１１６】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１１７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１１８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１１９】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１２０】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１２１】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１２２】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１２３】
本開示において、例えば、英語でのa,  an及びtheのように、翻訳により冠詞が追加された場合、本開示は、これらの冠詞の後に続く名詞が複数形であることを含んでもよい。
【０１２４】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１２５】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１２６】
なお、本開示におけるＡＭＦは、第１のネットワークノードの一例である。ＵＤＭは、第２のネットワークノードの一例である。
【０１２７】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１２８】
本国際特許出願は２０１９年１月９日に出願した欧州特許出願第１９３１５００２．６号に基づきその優先権を主張するものであり、欧州特許出願第１９３１５００２．６号の全内容を本願に援用する。
【符号の説明】
【０１２９】
１０        ネットワークノード
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020145299.tif 000003
【図２】
2020145299.tif 000004
【図３】
2020145299.tif 000005
【図４】
2020145299.tif 000006
【図５】
2020145299.tif 000007
【図６】
2020145299.tif 000008
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
ＶＰＬＭＮ（Visited Public land mobile network）における第１のネットワークノードであって、
ＨＰＬＭＮ（Home Public land mobile network）における第２のネットワークノードからネットワーク選択に係る情報を受信する受信部と、
前記ネットワーク選択に係る情報を端末に送信できなかった場合、前記ネットワーク選択に係る情報を前記端末に送信できなかったことを示す応答を前記第２のネットワークノードに送信する送信部とを有するネットワークノード。
【請求項２】
前記ネットワーク選択に係る情報は、ＳｏＲ（Steering of Roaming）情報である請求項１記載のネットワークノード。
【請求項３】
前記ネットワーク選択に係る情報を前記端末に送信できないことを示す応答は、前記ネットワーク選択に係る情報を前記端末に送信できない理由を含む請求項１記載のネットワークノード。
【請求項４】
ＨＰＬＭＮ（Home Public land mobile network）における第２のネットワークノードであって、
ＶＰＬＭＮ（Visited Public land mobile network）における第１のネットワークノードにネットワーク選択に係る情報を送信する送信部と、
前記第１のネットワークノードが端末に前記ネットワーク選択に係る情報を送信できなかった場合、前記ネットワーク選択に係る情報を前記端末に送信できなかったことを示す応答を前記第１のネットワークノードから受信する受信部と、
を有するネットワークノード。
【請求項５】
ＶＰＬＭＮ（Visited Public land mobile network）における第１のネットワークノードとＨＰＬＭＮ（Home Public land mobile network）における第２のネットワークノードを備えるネットワークシステムであって、前記第１のネットワークノードは、前記第２のネットワークノードからネットワーク選択に係る情報を受信する受信部と、
前記ネットワーク選択に係る情報を端末に送信できなかった場合、前記ネットワーク選択に係る情報を前記端末に送信できなかったことを示す応答を前記第２のネットワークノードに送信する送信部と、を有し
前記第２のネットワークノードは、前記第１のネットワークノードに前記ネットワーク選択に係る情報を送信する送信部と、
前記ネットワーク選択に係る情報を前記端末に送信できなかったことを示す応答を前記第１のネットワークノードから受信する受信部と、を有するネットワークシステム。
【請求項６】
ＶＰＬＭＮ（Visited Public land mobile network）における第１のネットワークノードが実行する通知方法であって、
ＨＰＬＭＮ（Home Public land mobile network）における第２のネットワークノードからネットワーク選択に係る情報を受信するステップと、
前記ネットワーク選択に係る情報を端末に送信できなかった場合、前記ネットワーク選択に係る情報を前記端末に送信できなかったことを示す応答を前記第２のネットワークノードに送信するステップと、
を有する通知方法。
【国際調査報告】
2020145299.tif 000009
2020145299.tif 000010
2020145299.tif 000011
2020145299.tif 000012